(57)【特許請求の範囲】
【請求項１】
天井埋込み型ラインタイプの照明装置において、
一側が開口された収容空間が内部に形成されたハウジング、および
基板上に発光素子が長さ方向に複数配置された発光体と、前記発光体が固定される固定板材と、前記収容空間の内側面に弾力的に支持されるように前記固定板材の両側から傾斜配置される弾性片が形成され、前記ハウジングの収容空間の開口側正面から収容空間の内部空間に向かって垂直方向に着脱可能に組み立てられる少なくとも１つの照明モジュールを含み、
前記弾性片と収容空間の内側面には、相互噛み合う第１結合部と第２結合部とが形成され、
前記照明モジュールには、複数設けられる各発光体の発光素子に電源を安定的に供給するための電源供給装置が設けられ、
前記弾性片の端部には、第１結合部と第２結合部の噛み合いを解除させるための取っ手が延長形成されて収容空間の内側面から離隔配置され、
前記第１結合部と第２結合部が互いに結合する面のうちの少なくともいずれか１つは、照明モジュールの分離を案内する傾斜面からなり、
前記傾斜面は、前記ハウジングの収容空間に向かって下方に傾斜していることを特徴とする天井埋込み型ラインタイプの照明装置。
【請求項２】
前記照明モジュールの固定板材と弾性片のうちの少なくともいずれか１つの内側面には、発光素子の照明光を収容空間の開口側に向かって反射させる反射面が形成されることを特徴とする請求項１に記載の天井埋込み型ラインタイプの照明装置。
【請求項３】
前記ハウジングの内側面から突出して固定板材の挿入位置を案内するストッパーをさらに含むことを特徴とする請求項１に記載の天井埋込み型ラインタイプの照明装置。
【請求項４】
前記ハウジングの内側面にはレール溝が長さ方向に形成され、前記ストッパーはレール溝に移動可能な状態で挿入支持されることを特徴とする請求項３に記載の天井埋込み型ラインタイプの照明装置。
【請求項５】
前記ハウジングの開口部を仕上げる透光カバーをさらに含むことを特徴とする請求項１に記載の天井埋込み型ラインタイプの照明装置。
【請求項６】
前記発光体の基板には、基板との間の電源を連結するためのソケットが設けられ、前記基板のソケットは、連結ラインによって連結されて、１つの電源供給装置により複数の発光体が安定した電源の供給を受けることを特徴とする請求項１に記載の天井埋込み型ラインタイプの照明装置。
【請求項７】
前記電源供給装置は、複数設けられて電源の供給を受ける入力ラインと発光素子に電源を供給する出力ラインがそれぞれ形成され、
前記複数の電源供給装置のうちのいずれかの１つの電源供給装置は、入力ラインが外部電源ラインに連結され、残りの電源供給装置のうちの少なくともいずれか１つの電源供給装置は、入力ラインが前記外部電源ラインから電源の供給を受ける電源供給装置の入力ラインと連結されることを特徴とする請求項１に記載の天井埋込み型ラインタイプの照明装置。
【請求項８】
下向傾斜配置される傾斜部が両側にそれぞれ配置されて、前記ハウジングの上端部に配置される固定部材と、前記固定部材とハウジングを連結して、固定部材を垂直方向に移動させる連結部材をさらに含み、
前記ハウジングの開口側端部の両側面には支持顎部が突出形成され、
前記ハウジングの上端部が、設置対象部に設けられた設置溝に挿入された状態で、前記傾斜部は、設置溝を貫通して設置対象部の内側面に支持され、前記支持顎部は、設置対象部の外側面に支持されることを特徴とする請求項１に記載の天井埋込み型ラインタイプの照明装置。
【請求項９】
前記傾斜部は、ハウジングの側面から離隔される方向に弾性支持されることを特徴とする請求項８に記載の天井埋込み型ラインタイプの照明装置。
【請求項１０】
設置対象部の内側面に支持される前記傾斜部の末端部には、設置対象部の内側面と垂直をなす支持部が形成されることを特徴とする請求項９に記載の天井埋込み型ラインタイプの照明装置。
【請求項１１】
前記連結部材は、ハウジングの両側面に配置された傾斜部を連結する中間板を含むことを特徴とする請求項８に記載の天井埋込み型ラインタイプの照明装置。
【請求項１２】
前記連結部材は、先端部がハウジングを貫通して固定部材の中間板とネジ結合され、後端部は、ハウジングに支持されることを特徴とする請求項１１に記載の天井埋込み型ラインタイプの照明装置。
【発明の詳細な説明】
【技術分野】
【０００１】
本発明は、天井埋込み型ラインタイプの照明装置に関し、より詳しくは、埋込み型ハウジングに照明モジュールを簡単に着脱することができることはもちろん、照明モジュールの照明光の利用効率を向上させることができる天井埋込み型ラインタイプの照明装置に関する。
【背景技術】
【０００２】
一般的に、天井には天井バーが一定の間隔で固定設置され、天井仕上げパネルが前記天井バーの下端に固定結合されて、内側に配置されている配線やエアダクトなどを覆っている。
【０００３】
そして、天井に埋込み設置される天井埋込み型灯具は、天井仕上げパネルの一部を除去して生じた空間に埋込まれ、灯具のフレームが天井バーに固定されて設置される。
【０００４】
灯具のフレームは、通常、ボルトを介して、天井バーにスクリュー結合されて固定設置されるが、ボルトは灯具のフレームの外側から内側に貫通して天井バーに結合されるため、ボルトのヘッドがフレームの外側に露出して照明器具の外観を損傷させる。
【０００５】
そのため、一部の灯具は、ボルトのヘッドを覆うキャップをフレームに結合させて、ボルトのヘッドが露出しないようにしている。しかし、キャップもフレームの外面に突出して備えられるため、灯具の外観を損傷させる問題を解決したと見るのは難しい。
【０００６】
そして、従来の灯具は、フレームが天井バーに直接ボルトにより、固定締結されるようになっている。
【０００７】
それで、灯具のフレームに内蔵されている光源ユニットやパワーサプライ（安定器）、配線などに問題が発生し、維持・保守作業が必要な時には、灯具全体を天井バーから外した後、維持・保守作業をすることになる。この場合、天井バーから外した灯具を室内の底に持って降りてくるには、外部電源を供給する配線の長さがこれを許用しない場合がほとんどであるため、維持・保守作業に苦労が多い。また、配線の長さが許容する範囲内で作業者が片手で灯具を持ち、もう一方の手で維持・保守作業をすることは容易ではなく、だからといって、２人で維持・保守作業をすることは人力の浪費である。
【０００８】
すなわち、従来の灯具は、維持・保守作業のために灯具全体を天井バーから分離して解体しなければならないため、維持・保守作業に多くの問題点があった。
【発明の概要】
【発明が解決しようとする課題】
【０００９】
したがって、本発明の目的は、このような従来の問題点を解決するためのものであって、ハウジングに発光手段を備える照明モジュールがスクリューのような別途の締結要素なしで簡単に着脱可能に結合されるようにすることによって、別途の工具なしで簡単に維持・保守することができる天井埋込み型ラインタイプの照明装置を提供することにある。
【００１０】
また、ハウジングを設置対象部に簡単に設置および分離ができることはもちろん、ハウジングが設置対象部から任意に分離して落下することを防止することができるように、堅固な固定力を提供することができる天井埋込み型ラインタイプの照明装置を提供することにある。
【課題を解決するための手段】
【００１１】
前記目的は、本発明により、天井埋込み型ラインタイプの照明装置において、一側が開口された収容空間が内部に形成されたハウジングと、基板上に発光素子が長さ方向に複数配置された発光体と、前記発光体が固定される固定板材と、前記収容空間の内側面に弾力的に支持されるように前記固定板材の両側から傾斜配置される弾性片が形成され、前記ハウジングの収容空間の開口側正面から収容空間の内部空間に向かって垂直方向に着脱可能に組み立てられる少なくとも１つの照明モジュールを含み、前記弾性片と収容空間の内側面には、相互噛み合う第１結合部と第２結合部とが形成されることを特徴とする天井埋込み型ラインタイプの照明装置によって達成される。
【００１２】
ここで、前記照明モジュールの固定板材と弾性片のうちの少なくともいずれか１つの内側面には、発光素子の照明光を収容空間の開口側に向かって反射させる反射面が形成されることが望ましい。
【００１３】
また、前記弾性片の端部には、第１結合部と第２結合部の噛み合いを解除させるための取っ手が延長形成されて収容空間の内側面から離隔配置されることが望ましい。
【００１４】
また、前記第１結合部と第２結合部が互いに結合する面のうちの少なくともいずれか１つは、照明モジュールの分離を案内する傾斜面からなることが望ましい。
【００１５】
また、前記ハウジングの内側面から突出して固定板材の挿入位置を案内するストッパーをさらに含むことが望ましい。
【００１６】
また、前記ハウジングの内側面にはレール溝が長さ方向に形成され、前記ストッパーはレール溝に移動可能な状態で挿入支持されることが望ましい。
【００１７】
また、前記ハウジングの開口部を仕上げる透光カバーをさらに含むことが望ましい。
【００１８】
また、前記照明モジュールには、複数設けられる各発光体の発光素子に電源を安定的に供給するための電源供給装置が設けられ、前記発光体の基板には、基板との間の電源を連結するためのソケットが設けられ、前記基板のソケットは、連結ラインによって連結されて、１つの電源供給装置により複数の発光体が安定した電源の供給を受けることが望ましい。
【００１９】
また、前記電源供給装置は、複数設けられて電源の供給を受ける入力ラインと発光素子に電源を供給する出力ラインがそれぞれ形成され、前記複数の電源供給装置のうちのいずれかの１つの電源供給装置は、入力ラインが外部電源ラインに連結され、残りの電源供給装置のうちの少なくともいずれか１つの電源供給装置は、入力ラインが前記外部電源ラインから電源の供給を受ける電源供給装置の入力ラインと連結されることが望ましい。
【００２０】
また、下向傾斜配置される傾斜部が両側に配置されて、前記ハウジングの上端部に配置される固定部材と、前記固定部材とハウジングを連結して、固定部材を垂直方向に移動させる連結部材をさらに含み、前記ハウジングの開口側端部の両側面には支持顎部が突出形成され、前記ハウジングの上端部が、設置対象部に設けられた設置溝に挿入された状態で、前記傾斜部は、設置溝を貫通して設置対象部の内側面に支持され、前記支持顎部は、設置対象部の外側面に支持されることが望ましい。
【００２１】
また、前記傾斜部は、ハウジングの側面から離隔される方向に弾性支持されることが望ましい。
【００２２】
また、設置対象部の内側面に支持される前記傾斜部の末端部には、設置対象部の内側面と垂直をなす支持部が形成されることが望ましい。
【００２３】
また、前記連結部材は、ハウジングの両側面に配置された傾斜部を連結する中間板を含むことが望ましい。
【００２４】
また、前記連結部材は、先端部がハウジングを貫通して固定部材の中間板とネジ結合され、後端部は、ハウジングに支持されることが望ましい。
【発明の効果】
【００２５】
本発明によれば、ハウジングに発光手段を備える照明モジュールがスクリューのような別途の締結要素なしで簡単に着脱可能に結合されるようにすることによって、別途の工具なしで簡単に維持・保守することができる天井埋込み型ラインタイプの照明装置が提供される。
【００２６】
また、ハウジングを設置対象部に簡単に設置および分離ができることはもちろん、ハウジングが設置対象部から任意に分離されて落下することを防止できるように、堅固な固定力を提供することができる天井埋込み型ラインタイプの照明装置が提供される。
【図面の簡単な説明】
【００２７】
【図１】本発明の天井埋込み型ラインタイプの照明装置の部分切開斜視図である。
【図２】本発明の天井埋込み型ラインタイプの照明装置の分解斜視図である。
【図３】本発明の天井埋込み型ラインタイプの照明装置に係る照明モジュールの分解斜視図である。
【図４】本発明の天井埋込み型ラインタイプの照明装置の断面図である。
【図５】本発明の天井埋込み型ラインタイプの照明装置を設置する過程を示す作用図である。
【図６】本発明の天井埋込み型ラインタイプの照明装置を設置する過程を示す作用図である。
【図７】本発明の天井埋込み型ラインタイプの照明装置を設置する過程を示す作用図である。
【図８】本発明の天井埋込み型ラインタイプの照明装置を設置する過程を示す作用図である。
【図９】本発明の天井埋込み型ラインタイプの照明装置の配線構造を示す構成図である。
【発明を実施するための形態】
【００２８】
説明に先立ち、様々な実施形態において、同一の構成を有する構成要素については、同一の符号を使用して代表的に第１実施形態で説明し、その他の実施形態では第１実施形態と異なる構成について説明することにする。
【００２９】
以下、添付した図面を参照して、本発明の第１実施形態に係る天井埋込み型ラインタイプの照明装置について詳細に説明する。
【００３０】
添付図面のうち、図１は、本発明の天井埋込み型ラインタイプの照明装置の部分切開斜視図であり、図２は、本発明の天井埋込み型ラインタイプの照明装置の分解斜視図である。
【００３１】
前記図面で示すような本発明の天井埋込み型ラインタイプの照明装置は、大きくハウジング１１０、照明モジュール１２０、固定部材１３０、連結部材１４０およびストッパー１５０を含んで構成される。
【００３２】
前記ハウジング１１０は、ラインタイプ照明を構成するために、天井構造物のような設置対象部Ｃにあらかじめ形成された長さ方向の設置溝Ｃ１に埋込み設置される。ハウジングの内部には、照明モジュール１２０が設置されるように一側が開口された収容空間１１１が形成され、ハウジングの上端部は、設置対象部Ｃに形成された設置溝Ｃ１に挿入収容され、ハウジングの下端部外側面には、設置溝Ｃ１の外側面の周辺に密着する支持顎部１１２が形成される。また、ハウジング１１０の収容空間１１１内部の向かい合う両側面には、後述する照明モジュール１２０の第２結合部１２２ｂが噛み合う第１結合部１１３と、ストッパー１５０が固定されるレール溝１１４が長さ方向にそれぞれ形成される。
【００３３】
前記固定部材１３０は、前記ハウジング１１０の一端部にハウジング１１０の挿入方向に移動可能に配置される。前記固定部材は、ハウジング１１０の一端部を設置溝Ｃ１に挿入する過程で弾性圧縮されてハウジング１１０の側面に密着し、ハウジング１１０の一端部が設置溝Ｃ１に挿入された状態では、弾性復元されるように前記ハウジング１１０の両側の側面にそれぞれ傾斜配置される一対の傾斜部１３１と、設置対象部Ｃの内側面に接触する前記傾斜部１３１の末端部から、設置対象部Ｃの内側面と直角をなすように延長形成される支持部１３２と、ハウジング１１０の上側に配置されて前記一対の傾斜部１３１を連結する中間板１３３と、前記中間板１３３に形成されて後述する連結部材１４０がネジ結合する第１ネジ部１３４を含む。一方、前記中間板１３３の端部から折曲された形態で傾斜配置される傾斜部１３１は、固定部材１３０の弾性力によってハウジング１１０の側面から離隔される方向に弾性支持される。
【００３４】
このような固定部材１３０は、設置対象部Ｃの厚さに応じて、多様な規格であらかじめ製作する。したがって、施工対象となる設置対象部Ｃに応じて、適切な固定部材１３０を選択することができる。
【００３５】
前記連結部材１４０は、スクリューのような形態からなりヘッド１４１が形成された一端部は収容空間１１１に露出する。ハウジング１１０を貫通して上部に露出する連結部材の他端部には、前記固定部材１３０の第１ネジ部１３４とネジ結合する第２ネジ部１４２が形成されてハウジング１１０に回転可能な状態で支持される。したがって、スクリュードライバーのような工具を用いて収容空間１１１に露出したヘッド１４１を回転させると、回転方向に応じて固定部材１３０がハウジング１１０の挿入方向、すなわちハウジング１１０の上側面から離隔される方向に移動するか、ハウジング１１０の上側面に密着する方向に移動することになる。
【００３６】
前記照明モジュール１２０は、着脱部材１２１、発光体１２６および電源供給装置１２７を含んで構成される。
【００３７】
前記着脱部材１２１は、前記発光体１２６が収容空間１１１の開口側に向かう下側面に固定された状態で収容空間１１１内に配置される固定板材１２１ａと、前記固定板材１２１ａの両側から折曲され、下向傾斜配置されて収容空間１１１の内側壁に弾性支持される弾性片１２１ｂと、前記弾性片１２１ｂの端部から折曲されてハウジング１１０の第１結合部１１３とか噛み合う第２結合部１２２ｂと、前記第２結合部１２２ｂを第１結合部１１３から分離する方向に移動させるように第２結合部１２２ｂの端部から折曲されて収容空間１１１の内側面から離隔配置される取っ手１２２ｄと、照明モジュール１２０の照明光を収容空間１１１の開口側に向かって反射させるように前記固定板材１２１ａの下側面と弾性片１２１ｂの内側面、すなわち前記ハウジング１１０の開口側と向かい合う面に光反射物質を塗布またはコーティングするか、光反射効率に優れた材質で構成された反射面１２３が形成される。
【００３８】
ここで、前記発光体１２６が固定される固定板体１２１の両端部には、前記発光体１２６のソケット１２６ｃが貫通して固定板体１２１の上側に露出するようにする貫通ホール１２２ａが形成され、前記第１結合部１１３と噛み合う第２結合部１２２ｂは、照明モジュール１２０の分離を案内するための傾斜面からなる。
【００３９】
前記発光体１２６は複数設けられて、ハウジング１１０の収容空間１１１に長さ方向に配置されるものであって、回路基板１２６ａと、前記回路基板１２６ａの長さ方向に複数設けられるＬＥＤなどの発光素子１２６ｂと、回路基板１２６ａの両端に電源入力／出力用ソケット１２６ｃが形成される。
【００４０】
前記電源供給装置１２７（ＳＭＰＳ;  Ｓｗｉｔｃｈｉｎｇ Ｍｏｄｅ Ｐｏｗｅｒ Ｓｕｐｐｌｙ）は、固定板材１２１ａの上側面に配置されて発光体１２６に電源を安定的に供給するものであって、外部電源が入力される入力ライン１２７ａと、発光体の発光素子に電源を供給するための出力ライン１２７ｂが形成される。
【００４１】
前記照明モジュール１２０は、複数設けられて収容空間内に一列に配置され、電源供給装置１２７の容量に応じて、１つの電源供給装置１２７によって複数の照明モジュール１２０が電源の供給を受けることができる場合には、複数の照明モジュール１２０のうちの少なくともいずれか１つに電源供給装置１２７が配置されるようにして、電源供給装置１２７が配置されていない照明モジュール１２０は、連結ライン１２８によって電気的に連結されて電源供給装置１２７が配置された照明モジュール１２０から電源の供給を受けるように構成することができる。前記連結ライン１２８は、一対の発光体１２６との間で隣接して配置される回路基板１２６ａのソケット１２６ｃをそれぞれ連結するようにソケットに接続する接続プラグと接続プラグを連結する導電性ラインで構成されて、発光体１２６が電気的に連結されるようにする。（図９参照）
【００４２】
前記ストッパー１５０は、固定板材１２１ａの挿入位置を案内するものであって、後端に設けられる挿入部１５１が前記ハウジング１１０のレール溝１１４にスライディング可能に挿入支持され、先端に設けられる掛かり顎部１５２は、固定板材１２１ａの挿入深さを制限するようにハウジング１１０の収容空間１１１に向かって突出する。これらのストッパー１５０は、複数のハウジング１１０が一列に配置された状態において、挿入部１５１の両端が両側のハウジング１１０のレール溝１１４にそれぞれ挿入され、一対のハウジング１１０を連結することができるため、一対のハウジング１１０の連結部分に段顎が発生することを防止することができる。
【００４３】
一方、前記ハウジング１１０の収容空間１１１の開口には、発光体１２６から照射され、開口に向かって提供される照明光を拡散させる透光カバー１６０が着脱可能に組み立てられる。
【００４４】
ここからは、前述した天井埋込み型ラインタイプの照明装置の第１実施形態の作動について説明する。
【００４５】
添付図面中の図４は、本発明の天井埋込み型ラインタイプの照明装置の断面図であり、図５〜図８は、本発明の天井埋込み型ラインタイプの照明装置を設置する過程を示す作用図である。
【００４６】
まず、図４により、本発明の天井埋込み型ラインタイプの照明装置の結合構造を見ると、ハウジング１１０は、下端部の枠外側に形成された支持顎部１１２が設置対象部Ｃの設置溝Ｃ１周辺の外側面に支持された状態で、ハウジング１１０の上端部に配置された固定部材１３０の両側傾斜部１３１が設置対象部Ｃの設置溝Ｃ１周辺の内側面に接触しながら、ハウジング１１０が設置対象部Ｃの設置溝Ｃ１に堅固に固定された状態を維持する。
【００４７】
前記固定部材１３０は、ハウジング１１０を貫通した連結部材１４０とネジ結合される。したがって、固定部材１３０は、連結部材１４０の回転方向に応じて、設置対象部Ｃの厚さ方向、すなわち図面で垂直方向に移動することになる。
【００４８】
したがって、固定部材１３０をハウジング１１０から離隔される方向に移動させた状態で、ハウジング１１０を設置溝Ｃ１に挿入すると、固定部材１３０の両側傾斜部１３１が設置溝Ｃ１に接触しながら弾性圧縮され、設置溝Ｃ１に挿入される。続いて、固定部材１３０の傾斜部１３１が設置溝Ｃ１を通過すると、弾性圧縮されていた傾斜部１３１が弾性復元され、ハウジング１１０の側面から離れるため、ハウジング１１０が設置溝Ｃ１に挿入された状態で挿入側に離脱することが防止される。また、連結部材１４０を回転させて固定部材１３０をハウジング１１０に密着する方向に移動させると、傾斜部１３１の端部に形成された支持部１３２が、設置対象部Ｃの内壁面に密着するため、ハウジング１１０が、設置対象部Ｃに堅固に固定される。この際、前記支持部１３２は、設置対象部Ｃの内側面と略垂直の角度をなすように配置されるので、ハウジング１１０に離脱方向に荷重が作用しても、傾斜部１３１が任意に位置移動して着脱部材１２１の固定力が低下することを防止することができる。
【００４９】
一方、ハウジング１１０の両側側壁の内側面中央にそれぞれ形成されたレール溝１１４には、ストッパー１５０の挿入部１５１がそれぞれ結合され、ストッパー１５０の掛かり顎部１５２が側壁から収容空間１１１に向かって突出する。
【００５０】
続いて、照明モジュール１２０の発光体１２６が固定された着脱部材１２１がハウジング１１０の開口を介して収容空間１１１の内部に向かって収容空間の開口正面から垂直方向に挿入されると、ストッパー１５０の掛かり顎部１５２に固定板材１２１ａが接触しながら着脱部材１２１の挿入位置が案内される。前記固定板材１２１ａの挿入過程において、前記固定板材１２１ａの両側面にそれぞれ傾斜配置された一対の弾性片１２１ｂは、ハウジング１１０の側壁の内側面に密着されながら弾性圧縮され、側壁に向かって弾性支持された状態となり、弾性片１２１ｂの第２結合部１２２ｂがハウジング１１０の第１結合部１１３と互いに噛み合って位置固定される。
【００５１】
また、前記固定板材１２１ａの上側面に配置された電源供給装置１２７は、ストッパー１５０と干渉しないように配置される。電源供給装置は、収容空間１１１の内側領域に配置され、着脱部材１２１が収容空間１１１に挿入されたとき、電源供給装置は、ハウジング１１０の上側面と接している。
【００５２】
上記のように照明モジュール１２０は、固定板材１２１ａがストッパー１５０に支持されて挿入位置が案内され、弾性片１２１ｂの第２結合部１２２ｂがハウジング１１０の第１結合部１１３と噛み合って分離方向への離脱が防止される。すなわち、別途のスクリューのような締結要素を利用しなくても、照明モジュール１２０をハウジング１１０の収容空間１１０に簡単に結合することができるため、施工が非常に簡単である。
【００５３】
一方、前記弾性片１２１ｂの末端部には、第１結合部１１３と第２結合部１２２ｂが噛み合う状態で、ハウジング１１０の側壁内壁面から離隔配置される取っ手１２２ｄが形成されているため、使用者がハウジング１１０から照明モジュール１２０を分離しようとする場合には、取っ手１２２ｄを持って弾性片１２１ｂを弾性圧縮方向に引っ張ると、第２結合部１２２ｂが第１結合部１１３から分離して照明モジュール１２０を収容空間１１１から分離することができる。
【００５４】
この際、前記第２結合部１２２ｂは、照明モジュール１２０の分離を案内するための傾斜面で形成されているため、第１結合部１１３と第２結合部１２２ｂが分離した状態では、照明モジュール１２０を容易に分離することができる。
【００５５】
また、前記ハウジング１１０の収容空間１１１に照明モジュール１２０が挿入された状態で、収容空間１１１の開口には、透光カバー１６０が着脱可能な状態で組み立てられる。すなわち、ハウジング１１０に複数の照明モジュール１２０が設置されてライン照明を構成しても、ハウジング１１０の開口に１つの透光カバー１６０を設置すると、１つの連続したライン照明を構成することができることになる。
【００５６】
以下では、前記のような結合構造を有する天井埋込み型ラインタイプの照明装置の施工過程について具体的に説明する。
【００５７】
添付図面中の図５〜図８は、本発明の天井埋込み型ラインタイプの照明装置を設置する過程を示す作用図である。
【００５８】
まず、図５は、設置対象部Ｃの設置溝Ｃ１にハウジング１１０の一端部を挿入する過程を示す図である。
【００５９】
ハウジング１１０の上側には、連結部材１４０によって固定部材１３０が連結されており、連結部材１４０の第２ネジ部１４２と固定部材１３０の中間板１３３の第１ネジ部１３４が互いにネジ結合されている。したがって、固定部材１３０は、ハウジング１１０に回転可能に支持された連結部材１４０の回転方向に応じて、ハウジング１１０から垂直方向、すなわちハウジング１１０が設置溝Ｃ１に設置対象部Ｃの厚さ方向に位置移動が可能である。
【００６０】
ハウジング１１０を設置溝Ｃ１に挿入する前に、ハウジング１１０の収容空間１１１に露出している連結部材１４０のヘッド１４１をスクリュードライバーのような工具を用いて締め解除方向に回転させると、固定部材１３０がハウジング１１０から離隔される方向に移動、すなわち上側方向に移動するようになるため、前記固定部材１３０の支持部１３２とハウジング１１０の支持顎部１１２との間の間隔が離れるようになる。
【００６１】
続いて、ハウジング１１０の一端部を設置対象部Ｃの設置溝Ｃ１に押込むと、ハウジング１１０の両側に傾斜配置された固定部材１３０の傾斜部１３１が設置溝Ｃ１とハウジング１１０との間に挿入されながら弾性圧縮される。すなわち、固定部材１３０の両側に傾斜配置された傾斜部１３１は、図面で２点鎖線で示すように両側に離れる状態を維持してから、ハウジング１１０が設置溝Ｃ１に挿入される過程で間の間隔が狭くなる方向に弾性圧縮される。
【００６２】
一方、ハウジング１１０のレール溝１１４には、固定板材１２１ａの挿入位置を案内するためのストッパー１５０があらかじめ設置される。これらのストッパー１５０が一列に配置される２つのハウジング１１０の連結部位に配置されると、一対のハウジング１１０の間に段差が発生しなくなる。
【００６３】
図６は、ハウジング１１０の一端部が設置溝Ｃ１に挿入された状態を示す図である。
【００６４】
ハウジング１１０の下端外側枠に形成された支持顎部１１２が設置溝Ｃ１周辺の外側面に密着するようにハウジング１１０の一端部を設置溝Ｃ１に完全に押込むと、固定部材１３０の支持部１３２が設置溝Ｃ１から離脱しながら弾性復元され、ハウジング１１０の側面部から離隔される方向に離れる。
【００６５】
図７は、連結部材１４０を締め方向に回転させて、固定部材１３０がハウジング１１０との間の間隔が狭くなる方向、すなわち下側方向に移動した状態を示す図である。
【００６６】
先立って説明したように、ハウジング１１０を設置溝Ｃ１に挿入した状態で、固定部材１３０の支持部１３２が設置溝Ｃ１から円滑に離隔されるようにするために、固定部材１３０をハウジング１１０から離隔される方向に移動させた。このような状態では、設置対象部Ｃの内側面に密着支持される支持部１３２と設置対象部Ｃの外側面に密着支持される支持顎部１１２との間の間隔が離れた状態になるため、ハウジング１１０を設置溝Ｃ１に挿入した状態で堅固な固定が行われない。（図６参照）
【００６７】
したがって、ハウジング１１０の一端部を設置溝Ｃ１に挿入した状態で、図のようにスクリュードライバーのような工具を用いてハウジング１１０の収容空間１１１に露出している連結部材１４０のヘッド１４１を締め方向に回転させると、固定部材１３０の支持部１３２が下向移動しながらハウジング１１０の支持顎部１１２との間の間隔が狭くなって、固定部材１３０の支持部１３２とハウジング１１０の支持顎部１１２が、設置対象部Ｃの内側面と外側面にそれぞれ密着するようになる。すなわち、ハウジング１１０が、設置対象部Ｃに堅固に固定されるため、振動や振れなどの外力が作用してもハウジング１１０が設置溝Ｃ１から任意離脱して落下することを防止することができる。
【００６８】
また、前記固定部材１３０の支持部１３２は、設置対象部Ｃとの間の角度が直角である状態を維持するため、弾力部材である固定部材１３０が外力によって任意に弾性変形して、ハウジング１１０の支持顎部１１２との間の間隔が任意に変形されることを防止することができる。
【００６９】
図８は、設置対象部Ｃに設置されたハウジング１１０の収容空間１１１に照明モジュール１２０を設置する過程を示す図である。
【００７０】
照明モジュール１２０は、着脱部材１２１の固定板材１２１ａ下部に発光体１２６が固定され、固定板材１２１ａの上側面に電源供給装置１２７が固定されて、１つのユニット形態で構成される。
【００７１】
したがって、このような照明モジュール１２０を設置対象部Ｃに設置されたハウジング１１０の収容空間１１１に垂直方向に押込むと、着脱部材１２１の両側弾性片１２１ｂがハウジング１１０の収容空間１１１と接する側壁の内側面に弾力的に密着した状態で、固定板材１２１ａの上側面がストッパー１５０の掛かり顎部１５２に支持されて上側方向への移動が制限されるとともに、弾性片１２１ｂの第２結合部１２２ｂがハウジング１１０の第１結合部１１３と噛み合って下側方向への移動が制限されて位置固定される。
【００７２】
上記のように、照明モジュール１２０は、単に押込む作用のみでハウジング１１０との結合が行われ、別途のスクリューのような締結要素を利用しなくても、非常に簡単に結合することができるため、施工が簡単である。
【００７３】
また、前記弾性片１２１ｂに設けられた取っ手１２２ｄは、第１結合部１１３と第２結合部１２２ｂが噛み合った状態でハウジング１１０の収容空間１１１と接する側面と離隔配置されている。したがって、一対の取っ手１２２ｄを同時に持ってつぼめる方向に力を加えると、弾性片１２１ｂが弾性圧縮されながら第２結合部１２２ｂが第１結合部１１３から分離して照明モジュールの固定が解除される。
【００７４】
すなわち、照明モジュール１２０の一端部から取っ手１２２ｄを用いて、第２結合部１２２ｂと第１結合部１１３との結合を解除した後、分離方向に引っ張ると照明モジュール１２０の一端部がハウジング１１０の収容空間１１１から分離する。続いて、分離した照明モジュール１２０の一端部を用いて、残りの部分を離脱方向に引っ張ると、照明モジュール１２０の他端部が収容空間１１１から離脱しながら照明モジュール１２０がハウジング１１０から完全に分離する。上記のように、本実施形態によれば、照明モジュール１２０をハウジング１１０から簡単に分離することができるため、維持・保守が容易である。
【００７５】
また、ハウジング１１０の収容空間１１１の開口には、図４に示すように、透光カバー１６０が着脱可能に組み立てられて発光体１２６の光を拡散させるため、透光カバー１６０全面にわたって照明光の均一度を向上させることができ、眩しさを防止することができる。
【００７６】
一方、上記のように、設置対象部Ｃに設置された照明装置を分離する順序は、前記組み立ての逆の順序で行われる。また、設置対象部Ｃの設置溝Ｃ１からハウジング１１０を分離しようとする場合には、連結部材１４０を締め解除方向に連続して回転させると、連結部材１４０の第２ネジ部１４２が固定部材１３０の第１ネジ部１３４から離脱することになるため、ハウジング１１０を設置溝Ｃ１から分離方向に引出すことができる。
【００７７】
一方、本発明の天井埋込み型ラインタイプの照明装置の配線構造を見ると、次の通りである。
【００７８】
添付図面中の図９は、本発明の天井埋込み型ラインタイプの照明装置の配線構造を示す構成図である。
【００７９】
図９は、ハウジングを除いた残りの構成要素を示すものであって、図に示すように、前記照明モジュール１２０は、複数設けられて一列に配置されて連続するライン形態の照明を構成する。
【００８０】
この際、照明モジュールに設置される電源供給装置１２７の容量に応じて、１つの電源供給装置１２７によって複数の照明モジュール１２０が電源の供給を受けることができる場合には、複数の照明モジュール１２０のうちの少なくともいずれか１つに電源供給装置１２７を配置し、照明モジュール１２０が配置されていない照明モジュール１２０は、連結ライン１２８を介して電源供給装置１２７が配置された照明モジュール１２０と電気的に連結させて電源の供給を受けるように構成することができる。
【００８１】
より具体的に詳察すると、電源供給装置１２７が設置された最初の照明モジュール１２０ａをハウジング１１０に設置し、該当電源供給装置１２７の入力ライン１２７ａを外部電源ラインＰと連結して、電源供給装置１２７の出力ライン１２７ｂを発光体１２６の回路基板１２６ａに設けられたソケット１２６ｃに連結する。
【００８２】
続いて、電源供給装置１２７が設置されていない二番目の照明モジュール１２０ｂを最初の照明モジュール１２０ａと並べて配置した後、一対の照明モジュール１２０ａ、１２０ｂの隣接端部に配置されている一対のソケット１２６ｃを連結ライン１２８に連結すると、後で設置された照明モジュール１２０ｂは、先に設置された照明モジュール１２０ａから電源の供給を受けることになる。
【００８３】
一方、異なる電源供給装置１２７が設置された照明モジュール１２０ｃを連続して追加で設置する場合、追加で設置される照明モジュール１２０ｃの電源供給装置１２７は、入力ライン１２７ａを最初の照明モジュール１２０の入力ライン１２７ａに連結することによって、設置対象部Ｃの内部空間で行われる配線作業を最小化することができるようになる。
【００８４】
本発明の権利範囲は、前述した実施形態に限定されるものではなく、添付した特許請求の範囲内で様々な形態の実施形態に具現することができる。特許請求の範囲で請求する本発明の要旨を逸脱することなく、当該発明の属する技術分野における通常の知識を有する者であれば誰でも変形可能な多様な範囲まで本発明の請求範囲の記載の範囲内にあるものとみなす。
【産業上の利用可能性】
【００８５】
本発明は、天井埋込み型ラインタイプの照明装置に関し、より詳しくは、埋込み型ハウジングに照明モジュールを簡単に着脱することができることはもちろん、照明モジュールの照明光の利用効率を向上させることができる天井埋込み型ラインタイプの照明装置に関する。
【図１】
0005952499.tif 000002
【図２】
0005952499.tif 000003
【図３】
0005952499.tif 000004
【図４】
0005952499.tif 000005
【図５】
0005952499.tif 000006
【図６】
0005952499.tif 000007
【図７】
0005952499.tif 000008
【図８】
0005952499.tif 000009
【図９】
0005952499.tif 000010